(57)【要約】【課題】  放射熱遮断機能の高いシート状の断熱材を施工性良く取り付け、効果の高い簡易な断熱工法で、既築家屋の屋根裏などのように、制約の多い狭隘な作業空間においても安価かつ迅速に施工できる家屋の屋根断熱技術の提供。【解決手段】  上側シート１１が屋根下面の架構体９に取り付けられ、この上側シートの下方に延長するようにスペーサを兼ねた取付具３が前記架構体に取り付けられ、この取付具に前記上側シートとの間に空隙Ｓを保持して下側シート１２が取り付けられ、前記上側シートと下側シートの対向面の少なくとも一方の面が低放射率面に形成されている。【選択図】      図１
2005042445.tif 000002
【特許請求の範囲】
【請求項１】
上側シートが屋根下面の架構体に取り付けられ、
この上側シートの下方に延長するようにスペーサを兼ねた取付具が前記架構体に取り付けられ、
この取付具に前記上側シートとの間に空隙を保持して下側シートが取り付けられ、
前記上側シートと下側シートの対向面の少なくとも一方の面が低放射率面に形成されていることを特徴とした家屋の屋根裏断熱構造。
【請求項２】
請求項１記載の屋根裏断熱構造において、前記取付具と上側シートとが共通の留め具により屋根下面の架構体に取り付けられている家屋の屋根裏断熱構造。
【請求項３】
上側シートが屋根下面の上側架構体に取り付けられ、
この上側シートの下方に空隙を保持して屋根下面の下側架構体に下側シートが取り付けられ、
前記上側シートと下側シートの対向面の少なくとも一方の面が低放射率面に形成されていることを特徴とした家屋の屋根裏断熱構造。
【請求項４】
請求項３記載の屋根裏断熱構造において、前記下側シートの一側縁部が押え板により下側架構体に取り付けられ、この押え板の端縁で下側シートの一側縁部を折り返して下側シートを張設した状態で、下側シートの他側縁部が下側架構体に取り付けられている家屋の屋根裏断熱構造。
【発明の詳細な説明】
【技術分野】
【０００１】
本発明は、太陽により加熱された家屋屋根からの熱が、直接、もしくは天井材を介して室内へ伝達することを抑制させる家屋の屋根裏断熱構造に関するものである。
【背景技術】
【０００２】
近年、省エネルギーの観点から住宅の高断熱化が重要になってきている。
断熱対象となる部位は、屋根、壁、床などがあるが、特に夏季の日中の屋根断熱が室内温度の低減には有効であり、従来、断熱材に工夫を凝らすことで断熱性能を上げることが、盛んに開発されてきた。
【０００３】
古くから用いられている屋根断熱技術として、天井板の上にグラスウールなどで形成された断熱材を敷設する方法がよく用いられている（先行技術１）。
【０００４】
また、屋根断熱を目的として、セメント系板材に断熱材と反射材を積層して断熱性に優れた屋根材とした技術が知られている（特許文献１参照）。
【０００５】
さらに、壁や屋根パネル裏面に断熱材を貼り、前記断熱材を覆うシートを内面に隙間を持たせて設けて鉛直方向に繋がる空間を作り、外部からの断熱と空気温度差による前記空間でのトンネル効果気流による冷却を狙った技術が知られている（特許文献２参照）。
【０００６】
また、壁から屋根に連なる高気密のアルミニュウム被覆断熱ボードを、外壁および屋根との間に通気層を形成するように設けて、家屋の外郭を二重壁構造とする高気密高断熱家屋が知られている（特許文献３参照）。
【０００７】
また、アルミ箔やアルミ蒸着を積層したシートを複数層重ね、起立片でシート間に空間通気層を作り、断熱を行うようにした技術が知られている（特許文献４参照）。
【０００８】
先行技術１は、グラスウールなどの断熱材を天井裏に単に置くだけの施工であり、簡便に施工できることもあって、非常によく用いられているが、微細ファイバーを用いるため、どうしても肌を刺すチカチカ感や繊維の飛散が生じ、作業環境の面で好ましくなく、また、断熱性についても、輻射熱に対しては遮熱性が十分ではないという問題があった。
【０００９】
また、その他の先行技術は、いずれも、材としての工夫はなされているが、取付工事の工夫が不十分であり、施工に時間を要し、特に既築家屋に後施工として適用することは難しい。
【特許文献１】特許第３０３０４２９号公報
【特許文献２】特開平９−１５８３５３号公報
【特許文献３】実用新案登録第３００９５１２号公報
【特許文献４】特許第３２２７１４０号公報
【発明の開示】
【発明が解決しようとする課題】
【００１０】
夏場の室温上昇対策では屋根からの入熱抑制が最も有効であるが、安価な断熱工法が実現できていなかった。
上記のように、既存の断熱技術は、材や構造の工夫に偏り、特に既設家屋の屋根裏のように、作業空間に制約が多くある部位における施工技術も含めた全体構成としての改善がおろそかになっており、結局は時間とコストに問題点を残し、また、柔軟な適用が困難である等の問題点が生じていた。
【００１１】
本発明は、上記の問題を解決するためになされたもので、放射熱遮断機能の高いシート状の断熱材を施工性良く取り付け、かつ、効果の高い簡易な断熱工法で、既築家屋の屋根裏などのように、制約の多い狭隘な作業空間においても安価かつ迅速に施工できるようにすることを目的とする。
【００１２】
又、断熱シートの屋根対向面（上面）を低放射率面にすると、ホコリが多い屋根裏では、この低放射率面の上にホコリが溜まり易くなり、このホコリによって低放射率面（上面）が覆われてしまうため、断熱効果が低減してしまうことになる。
又、断熱シートの屋根反対面（下面）を低放射率面にした場合も、ある程度の断熱効果を得ることができるもので、この場合も低放射率面（下面）にホコリが付着し、断熱効果が低減してしまうことになる。
そこで、本発明では、上側シートと下側シートの２層構造とし、この上側シートと下側シートの対向面の少なくとも一方の面を低放射率面に形成することで、低放射率面の上にホコリが溜まったり、付着したりするのを防止し、併せて、シートの敷設施工が容易に行なえるようにした屋根裏断熱構造を提供することを課題としている。
【００１３】
本発明は、屋根直下でシートを敷設することが容易に行え、安価に、かつ、既築家屋に後施工で容易に施工できるようにする。
屋根裏断熱工事の施工場所は狭い上に障害物が多くあり、時としては高所作業となるので、施工が簡便で、寸法許容精度が大きいもの、狭い空間への搬入と広い面積への取り付けが容易で、低い寸法精度で施工しても遮熱性能が低下しないものであることが、非常に重要で、本発明はこれを可能にしたものである。
【課題を解決するための手段】
【００１４】
上記の課題を解決するために、本発明の家屋の屋根裏断熱構造（請求項１）は、
上側シートが屋根下面の架構体に取り付けられ、
この上側シートの下方に延長するようにスペーサを兼ねた取付具が前記架構体に取り付けられ、
この取付具に前記上側シートとの間に空隙を保持して下側シートが取り付けられ、
前記上側シートと下側シートの対向面の少なくとも一方の面が低放射率面に形成されている構成とした。
【００１５】
本発明の家屋の屋根裏断熱構造（請求項２）は、前記請求項１記載の屋根裏断熱構造において、前記取付具と上側シートとが共通の留め具により屋根下面の架構体に取り付けられている態様とした。
【００１６】
本発明の家屋の屋根裏断熱構造（請求項３）は、
上側シートが屋根下面の上側架構体に取り付けられ、
この上側シートの下方に空隙を保持して屋根下面の下側架構体に下側シートが取り付けられ、
前記上側シートと下側シートの対向面の少なくとも一方の面が低放射率面に形成されている構成とした。
【００１７】
本発明の家屋の屋根裏断熱構造（請求項４）は、前記請求項３記載の屋根裏断熱構造において、前記下側シートの一側縁部が押え板により下側架構体に取り付けられ、この押え板の端縁で下側シートの一側縁部を折り返して下側シートを張設した状態で、下側シートの他側縁部が下側架構体に取り付けられている態様とした。
【００１８】
屋根裏断熱では、屋根裏面を形成する広い面積に、断熱シートを並べて敷設することが必要であり、これらの断熱シートを隙間なく、安全・迅速に敷設する工法が必要である。
また、断熱シートはその表面を瓦や野地板などの熱を伝える部材に面接触させると、接触伝熱が生じて断熱性能が落ちるし、特に、低放射率面の上にホコリが溜まると、断熱効果が低減するので、極力、断熱シートの接触伝熱を抑えると共に、ホコリの滞留を遮る取付構造とする必要がある。
【００１９】
以上の機能を達成するために、上側シートを上側架構体に取り付け、下側シートを上側シートとの間に空隙を保持するように取付具に取り付け、そして、上側シートと下側シートの対向面の少なくとも一方の面が低放射率面に形成した（請求項１）。
この場合、下側シートの上面又は／及び上側シートの下面を低放射率面に形成する態様があるが、下側シートの上面を低放射率面に形成に形成すると、この下側シートが断熱シートとして機能し、上側シートがカバーシートとして機能する。
又、上側シートの下面を低放射率面に形成に形成すると、この上側シートが断熱シートとして機能し、下側シートがカバーシートとして機能する。
又、下側シートの上面及び上側シートの下面を低放射率面に形成に形成すると、この下側シート及び上側シートが断熱シートとして機能すると同時にカバーシートとして機能する。
【００２０】
又、施工を容易にするには、施工工数を減少させることが必要であり、このため、シートと取付具を別々の留め具により屋根下面の架構体に取り付るのではなく、シートと取付具を共通の留め具により屋根下面の架構体に取り付け（共留め）するのが好ましい（請求項２）。
【００２１】
なお、取付具の断熱も重要であり、この取付具を強固な金属製の一体成形加工品とすると、製造容易という点では有利になるが、金属製の一体成形加工品は熱伝導が高いので、全体としての断熱性能上好ましくない。
そこで、取付具を金属製の一体成形加工品とするのではなく、架構体への取付強度が高い金属製本体部材と、この金属製本体部材に取り付けられる熱伝導率が低い樹脂製取付部材との二部材結合取付具に形成するか、又は熱伝導率が低い合成樹脂の一体成形加工品で形成するのが好ましい。
【００２２】
前記取付具を金属製本体部材と樹脂製取付部材との二部材結合取付具に形成した場合、この両者の結合を容易にすることも必要であり、そこで、金属製本体部材に突設した針状突起を樹脂製取付部材に突き刺すだけで、金属製本体部材に樹脂製取付部材を取り付けるようにすれば、結合が容易になる。
この場合、針状突起を樹脂製取付部材に単に突き刺すだけでは、引き抜く力が働くと、針が抜けてしまうため、針状突起に戻り防止爪（抜け方向の引っ掛かり）を設けることが有効である。
【００２３】
又、屋根下面の架構体としては、垂木、母屋、棟木等があるが、このうち、垂木（上側架構体）は母屋及び棟木（下側架構体）よりも上方に位置している。
従って、この上側架構体と下側架構体との高低差を利用すれば、金具を使用することなく、上側シートの下方に空隙を保持して下側シートを敷設することが可能になる。
そこで、上側シートを屋根下面の上側架構体（垂木）に取り付け、この上側シートの下方に空隙を保持して屋根下面の下側架構体（母屋及び棟木）に下側シートを取り付けるように構成した（請求項３）。
【００２４】
又、シートは、屋根裏面と平行に緊張状態に張設するのが、断熱効果及び施工の仕上り面で好ましい。
だだ、シートを緊張させるためには、このシートを引っ張る必要が生じるが、このとき、釘やコ状針（市場ではタッカーと称す）等でシートをスポット的に点で架構体に取り付けると、シートを引っ張ったときに、その取り付け部分から破れてしまうことがある。
そこで、シートの一側縁部を押え板により下側架構体に取り付け、この押え板の端縁でシートの一側縁部を折り返してシートを張設させた状態で、シートの他側縁部を側架構体に取り付けるように構成した（請求項４）。
このように、押え板を用いると、シートを面で下側架構体に取り付けることができるし、また、シートの一側縁部を押え板の縁で折り返すため、シートの一側縁部を直線的に始末することができ、施工の仕上りが良好になる。
さらに、このようにすると、下側架構体に柱として接続されている部材（主に小屋束）とシートの干渉回避が容易になる。
【００２５】
また、上側シート、下側シート、取付具の取り付け状態や、対象となる架構体への取り付け方向、架構体の堅さなどは千差万別なので、簡易迅速な取り付け構造と、少し手間はかかっても確実な取り付け構造を併存させ、状況に応じてこれらを選択・使い分けられるようにすると施工効率を高くすることができる。
例えば、架構体への取り付けを、常用はコ状針の打ち込みで行える構成とし、堅い木材や節上に取り付けが必要な場合には、ネジ付きビスで行うことができるようにさせるなど、複数の取り付け構造を併存させて、状況に応じて取り付け方法を選択できるようにする。
【００２６】
又、低放射率面は、下側シートの上面又は／及び上側シートの下面に形成されていれば、下側シートの下面又は／及び上側シートの上面に形成することは任意である。
又、シートとして、例えば、架構体である垂木の間隔よりも狭い幅サイズのシートを用いると、そのシートを垂木の間に渡せなくなるため、このような場合、シートをを継ぎ合わせて使用したり、或いはシートで足りない分をベニヤ板やプラスチックパネルで補足させることができる。
【発明の効果】
【００２７】
以上のように、本発明の屋根裏断熱構造によれば、障害物が多くあり、時としては高所作業となる屋根裏断熱工事の安全性や作業性が向上し、施工自由度が高く、狭い空間で容易にシートを取り付けることができ、迅速で効果の高い断熱施工が実施できる。
つまり、夏場の室温上昇対策が安価に、かつ、容易に実施可能で、また、既存の家屋に後施工断熱することも容易になる等の利点もある。
特に、断熱面となる低放射率面にホコリが溜まったり、付着したりするのを防止して、断熱効果を維持させることができる。
このように、本発明によれば、特に冷房負荷の低減に非常に有効な夏季の日中の断熱が、簡易、かつ安全で安価に達成でき、また、地球環境を守るために重要テーマとなっている住宅の高断熱化による省エネルギーに大きく貢献できるものである。
【発明を実施するための最良の形態】
【００２８】
以下、本発明の実施例を図面により説明する。
図１は本発明の１実施例にかかる家屋の屋根裏断熱構造の要部を示す断面図、図２は屋根裏断熱構造を下方からみた斜視図、図３は図２のＡ−Ａ矢視図、図４は図２のＢ−Ｂ矢視図、図５及び図６は断熱シート用の留め具の他例を示す正面図である。
【００２９】
この実施例では、上側シート１１をカバーシートとして屋根下の垂木９に取り付け、下側シート１２を断熱シートとして取付具３を介して垂木９に取り付けた場合を例とし、また、取付具３を、金属製本体部材４と、この金属製本体部材４に取り付けられる樹脂製取付部材５との二部材結合取付具に形成した例で説明する。
【００３０】
下側シート１２は、太陽熱の入熱側の放射率を低くすることが肝要なので、上側シート１１との対向面である上面が低放射率面に形成されている。なお、下側シート１２の上下両面を低放射率面に形成してもよい。
この低放射率面の加工は、放射熱遮断の効果が期待できるものであればなんでも良く、アルミニュウム、銅などの金属系のフィルムや、これらの片を混入した塗装面でも良いし、光沢を持たせた面とすることが最も好ましい。
この例では、合成繊維やガラス繊維で織られた丈夫なシート材に、アルミペイントを塗布して、低放射率面の放射率を０．３程度としている。
また、本発明では、屋根裏での１５０℃以下の遠赤外線域の波長での放射遮蔽が主目的であり、太陽光における可視光線領域での反射のような色の効果は殆んど無いので、低放射率化のために、シートを白色にする意味は殆んどない。
【００３１】
又、上側シート１１についても、実施例では、下側シート１２との対向面である下面が低放射率面に形成されたシート材を用いている。この場合、上面及び下面の両面共に低放射率面に形成したシートを上側シート１１として使用できるし、また、上面及び下面の両面共に非低放射率面に形成したシートを上側シート１１として使用できる。
なお、下側シート１２及び上側シート１１は、一定幅の帯状シートをロール状に巻き取ったシートロール１ａに形成し、このシートロール１ａを必要長さ繰り出すことで延展し、敷設するようにしている。
【００３２】
前記取付具３の一方を構成する金属製本体部材４は、金属板材をＬ字状に形成したもので、その一辺が屋根下面Ｒの架構体としての垂木９への取付片４０に形成され、他辺が樹脂製取付部材５の結合片４１に形成されている。
前記取付片４０には、留め具用取付穴が形成され、又、前記結合片４１には針状突起４２が突設され、この針状突起４２には戻り防止爪４３が形成されている。
【００３３】
又、取付具３の他方を構成する樹脂製取付部材５は、熱伝導が低い合成樹脂の短冊状板材が用いられている。
そして、この樹脂製取付部材５を前記金属製本体部材４の針状突起４２に突き刺すだけで、金属製本体部材４に樹脂製取付部材５を取り付け、その取り付け状態を戻り防止爪４３により係止して、樹脂製取付部材５の脱落を防止させている。
【００３４】
本実施例の屋根裏断熱構造を施工するには、まず、上側シート１１を屋根下面Ｒの架構体（例えば垂木９）に取り付ける。
この取り付けは、上側シート１１の下面に金属製本体部材４の取付片４０を当てがった状態で、上側シート１１用の留め具４５としての木ネジを垂木９にねじ込むようにしている。
これにより、前記金属製本体部材４と上側シート１１とが共通の留め具４５により垂木９に取り付けられ、金属製本体部材４の取付作業と、上側シート１１の取付作業が同時に行なえるため、取付作業の工数を減少させることができる。
なお、上側シート１１をタッカー等の留め具で垂木９に直止めし、その後、金属製本体部材４を必要な箇所に留め具で垂木に取り付けるようにしてもよい。
【００３５】
上側シート１１の敷設が終わると、同時に取り付けた金属製本体部材４および必要箇所の垂木９に追加取付を行った金属製本体部材４に樹脂製取付部材５を突き刺して取り付ける。
なお、予め金属製本体部材４に樹脂製取付部材５を突き刺して取り付けることで取付具３を形成しておき、この取付具３を垂木９に取り付けるようにしてもよい。
【００３６】
以上で下側シート１２の取付準備が整ったので、次に下側シート１２を敷設する。
この状態では、上側シート１１の下方に延長するように、スペーサを兼ねた取付具３が垂木９に取り付けられている。そして、下側シート１２を、前記取付具３の樹脂製取付部材５の下端面に、ギザギザを有する留め具５１としての押しピンで下側シート１２を押えながら下面より突き刺しで取り付ける。
これにより、上側シート１１の下方に、空隙Ｓを保持して下側シート１２を敷設した２層シートの屋根裏断熱構造を構成することができる。
なお、上側シート１１を全面敷設した後に、下側シート１２を取り付けるか、または、上側シート１１と下側シート１２を部分的に取り付けていくかの施工手順としての最適法は、屋根裏構造などにより異なる。
【００３７】
従って、この実施例では、下側シート１２の上面を低放射率面に形成しているため、この下側シート１２が断熱シートとして機能し、又、上側シート１１がカバーシートとして機能する。
同時に、上側シート１１の下面を低放射率面に形成しているため、この上側シート１１が断熱シートとして機能し、又、下側シート１２がカバーシートとして機能する。
即ち、下側シート１２及び上側シート１１が共に断熱シートとして機能し、屋根からの入熱を遮断して断熱効果を得ながら、下側シート１２及び上側シート１１が共にカバーシートとして機能し、低放射率面の上にホコリが溜まるのを防止して、その断熱効果を維持させることができる。
【００３８】
又、上側シート１１及び下側シート１２は、天井裏に持ち込む際にシートロール１ａにて搬入され、これを繰り出して敷設していくが、敷設すべき位置にシートロール１ａを回転可能に支持しておいて、ここから繰り出しながら延展していくと、作業が容易になる。
【００３９】
この場合、図３及び図４に示すように、シートロール１ａの芯穴１５への挿入部を有する２本のフック６を用い、上側シート１１を敷設する際は、図３に示すように、垂木９が露出しているので、垂木９にフック６の上端腕６０をタッカー等の留め具で取り付け、フック６の下端挿入部６１をシートロール１ａの芯穴１５に挿入してシートロール１ａの両端部を吊り下げることで、上記作業が簡単にできる。
【００４０】
又、下側シート１２を敷設する際には、既に上側シート１１が幕状に敷設されているので、シートロール１ａの支持が垂木９から直接にはとれない。このため、図４に示すように、前記金属製本体部材４を利用し、この金属製本体部材４に形成した穴４４にフック６の上端腕６０を差し込んでシートロール１ａの支持を行うと、上側シート１１を敷設した時と同様な作業が下側シート１２の敷設においても可能となり、施工性が向上する。
【００４１】
なお、下側シート１２を取付具３に取り付ける留め具５１については、図５に示すように、Ｕ字状ピンを用い、このＵ字状ピンを断熱シート１２に突き刺し貫通させて、その弾性で取付具３を挟持させることもできる。
また、図６に示すように、留め具５１として頭部につまみ部を有したネジビスを用いることができる。
このように、人手での取付を可能にすれば、工具不要の人手による取り付けが可能となり、施工を簡単にさせる上で好ましい。
【００４２】
以上のように、留め具の構造はいろいろあり、本事例での説明したもの以外の留め具でも可能であり、本実施例に限定されるものではない。
【００４３】
次に、図７は本発明の他の実施例にかかる家屋の屋根裏断熱構造の要部を示す断面図、図８は図５のＣ−Ｃ断面図である。
この実施例では、下側シート１２の上面が低放射率面に形成されると共に、上側シート１１の下面も低放射率面に形成されている。
従って、下側シート１２及び上側シート１１の両シート共に断熱シートとして機能し、又、上側シート１１は下側シート１２に対するカバーシートとして機能し、下側シート１２は上側シート１１に対するカバーシートとして機能する。
【００４４】
この実施例では、上側シート１１が上側架構体である垂木９に取り付けられ、この上側シート１１の下方に空隙Ｓを保持して、下側シート１２が下側架構体である母屋９０に取り付けられている。
【００４５】
前記上側シート１１は、その中程部分が垂木９の下面にタッカー等の留め具８０で取り付けられると共に、その両端部分がそれぞれ母屋９０，９０の側面に留め具８１で取り付けられている。
【００４６】
又、前記下側シート１２は、その一側縁部が押え板７により押え付けられた状態で、前記上側シート１１の上から留め具８２により一方の母屋９０（図８の右側の母屋）の側面に取り付けられている。この場合、下側シート１２の一側縁部を母屋９０の底面に取り付けることも可能であるが、母屋９０の底面には小屋束が設けられている部分があり、この小屋束を避ける上からも母屋９０の側面に取り付けるのが好ましい。
そして、下側シート１２を引っ張ることで、前記押え板７の端縁７ａで下側シート１２の一側縁部を折り返しながら下側シート１２を張設して、下側シート１２の他側縁部を他方の母屋９０（図８の右側の母屋）の下面に留め具８３で取り付けている。
【００４７】
このように、押え板７を使用すると、下側シート１２を面で母屋９０に取り付けることができるため、下側シート１２を引っ張ったときに、その取り付け部分が破れるといったことを防止できるし、下側シート１２の一側縁部を押え板７の縁７ａで折り返すため、下側シート１２の一側縁部を直線的に始末することができ、施工の仕上りが良好にできる。
【産業上の利用可能性】
【００４８】
障害物が多くあり、時としては高所作業となる屋根裏断熱工事の安全性や作業性が向上し、施工自由度が高く、狭い空間での容易な断熱シートの取り付けが可能で、迅速で効果の高い家屋の屋根断熱に適用できる。
【図面の簡単な説明】
【００４９】
【図１】本発明の１実施例にかかる家屋の屋根裏断熱構造の要部を示す断面図である。
【図２】屋根裏断熱構造を下方からみた斜視図である。
【図３】図２のＡ−Ａ矢視図である。
【図４】図２のＢ−Ｂ矢視図である。
【図５】下側断熱シート用の留め具の他例を示す正面図である。
【図６】下側断熱シート用の留め具の他例を示す正面図である。
【図７】本発明の他の実施例にかかる家屋の屋根裏断熱構造の要部を示す断面図である。
【図８】図７のＣ−Ｃ断面図である。
【符号の説明】
【００５０】
１ａ  シートロール
１１  上側シート
１２  下側シート
１５  芯穴
３  取付具
４  金属製本体部材
５  樹脂製取付部材
６  フック
９  垂木
４０  取付片
４１  結合片
４２  針状突起
４３  戻り防止爪
４４  穴
４５  留め具
５１  留め具
６０  上端腕
６１  下端挿入部
７  押え板
７ａ  縁
８０  留め具
８１  留め具
８２  留め具
８３  留め具
９  垂木（上側架構体）
９０  母屋（下側架構体）
Ｒ  屋根下面
Ｓ  空隙
【図１】
2005042445.tif 000003
【図２】
2005042445.tif 000004
【図３】
2005042445.tif 000005
【図４】
2005042445.tif 000006
【図５】
2005042445.tif 000007
【図６】
2005042445.tif 000008
【図７】
2005042445.tif 000009
【図８】
2005042445.tif 000010